(57)【要約】【課題】本発明は、広告表示システム及びその方法を提供することであることを目的とする。【解決手段】本発明に係る広告表示方法は、表示装置に接続された電子装置の中で実施され、商品情報を広告コンポーネントに変換し、広告コンポーネントは、一種の商品の少なくとも１つの商品画像と、商品の広告内容と、を備え、広告コンポーネントを組み合わせて、広告コンポーネントのデータベースを形成し、表示装置により映像を放送し、映像が放送されるとともに、広告コンポーネントのデータベースに保存された商品画像に基づいて、現在放送されている映像における物件の画像との類似度を判別し、広告コンポーネントのデータベースには、現在放送されている映像における物件の画像に類似する商品の画像があれば、商品の画像に対応する広告コンポーネントは物件に対応する商品の広告コンポーネントであると判定し、表示装置に物件に対応する商品の広告内容を表示する。【選択図】図３
2012043426.tif 000002
【特許請求の範囲】
【請求項１】
表示装置に接続された電子装置の中で実施される広告表示方法であって、
各々の商品情報を広告コンポーネントに変換し、前記広告コンポーネントは、一種の商品の少なくとも１つの商品画像と、前記商品の広告内容と、を備える第一ステップと、
各々の前記広告コンポーネントを組み合わせて、広告コンポーネントのデータベースを形成する第二ステップと、
前記表示装置により映像を放送する第三ステップと、
映像が放送されるとともに、前記広告コンポーネントのデータベースに保存された商品画像と、現在放送されている映像における物件の画像との類似度を判別し、前記広告コンポーネントのデータベースには、現在放送されている映像における物件の画像に類似する商品の画像があれば、前記商品の画像に対応する広告コンポーネントは前記物件に対応する商品の広告コンポーネントであると判定する第四ステップと、
前記表示装置に前記物件に対応する商品の広告内容を表示する第五ステップと、
を備えることを特徴とする映像における広告表示方法。
【請求項２】
前記広告コンポーネントのデータベースは、映像放送システムに保存され、ネットワークを介してダウンロードするか又は更新することができるファイルであることを特徴とする請求項１に記載の映像における広告表示方法。
【請求項３】
前記広告コンポーネントのデータベースは、映像ファイルに保存されることを特徴とする請求項１に記載の映像における広告表示方法。
【請求項４】
前記第四ステップは、
予め設定した時間間隔で、前記広告コンポーネントのデータベースにおける各々の商品の画像と現在放送されている映像における物件の画像とを比べて、両者の類似度を判別するステップと、
現在放送されている映像における物件の画像と１つの広告コンポーネントにおける商品の画像との類似度が閾値より高ければ、前記広告コンポーネントは前記物件の広告であると判別するステップと、
を備えることを特徴とする請求項１に記載の映像における広告表示方法。
【請求項５】
前記第五ステップにおいて、前記映像の周辺に前記商品の広告内容を直接に表示するか又は前記映像が一時停止されるか又は終わる場合、前記映像における停止位置に最も近い画面中の物件を測定した商品の広告内容がポップアップされ、
前記商品の広告内容は、文字、図面及び組版からなる広告レイアウト、広告のマルチメディア情報、又は前記商品のホ―ムページアドレス又はショッピング系統のキーワードに関連して広告に現れることができるデータであることを特徴とする請求項１に記載の映像における広告表示方法。
【請求項６】
表示装置に接続された電子装置の中で実施される広告表示システムであって、
各々の商品情報を一種の商品の少なくとも１つの商品画像及び前記商品の広告内容を備える広告コンポーネントに変換し、且つ各々の広告コンポーネントを組み合わせて、広告コンポーネントのデータベースを形成する変換モジュールと、
前記表示装置に映像が放送される時、前記広告コンポーネントのデータベースに保存された商品画像に基づいて、現在放送されている映像における物件の画像との類似度を判別し、測定結果により、前記広告コンポーネントのデータベースには、現在放送されている映像における物件の画像に類似する商品の画像があれば、前記商品の画像に対応する広告コンポーネントは、前記物件に対応する商品の広告コンポーネントであると判定する検出モジュールと、
表示装置に前記物件に対応する商品の広告内容を表示する表示モジュールと、
を備えることを特徴とする広告表示システム。
【請求項７】
現在放送されている映像における物件に対して測定するのは、予め設定した時間間隔で、前記広告コンポーネントのデータベースにおける各々の商品の画像と現在放送されている映像における物件の画像とを比べて、両者の類似度を判別し、
現在放送されている映像における物件の画像と１つの広告コンポーネントにおける商品の画像との類似度が閾値より高ければ、前記広告コンポーネントは、前記物件の広告であると判別することを特徴とする請求項６に記載の広告表示システム。
【発明の詳細な説明】
【技術分野】
【０００１】
本発明は、広告方法に関するものであり、特に広告表示システム及びその方法に関するものである。
【背景技術】
【０００２】
映像が放送される過程において、例えばテレビ番組の段落と段落との間に広告を挿入し、視聴者の興味に影響があるように、プロダクトプレイスメント（Ｐｒｏｄｕｃｔ  Ｐｌａｃｅｍｅｎｔ）は、広告手法の一つとして、映像やテレビドラマの劇中に広く応用されており、役者に特定の商品を絡ませて、商品の価値を再解釈して、商品のイメージを高めている。
【０００３】
しかし、従来のプロダクトプレイスメントは、以下の欠点がある。第一に、商品情報が欠乏している。視聴者はテレビドラマや映像のストーリーから商品情報を獲得することができず、例えば、視聴者がドラマの主役の身に着けている服について非常に興味を持っているが、この服の情報を調べることができないため、通常テレビドラマが終わってから、スポンサーの情報を調べることが必要となり、このような非効率な方式により潜在する消費者を失う。第二に、ブランドの可視度が高くない。現実において、あらゆる商品が全て車のように明らかな商標を有するわけではなく、例えば、携帯電話、ハイヒール又は観光地は、映像の中では全てかならずしも明らかな商標があるわけではなく、もしシーンにおいてこれらの商品の商標を強調し過ぎると、かえって視聴者の反感をもたらす。第三に、現在のプロダクトプレイスメントは商品の入手方法を獲得し難い。消費者はショッピングしたくても、どこで必要とする商品を買うかを知らないので、長い時間捜し求めなければならず、従って成功的なマーケティングが行えても便利な商品入手方法がないので取引することができない。
【発明の概要】
【発明が解決しようとする課題】
【０００４】
以上の問題点に鑑みて、本発明の目的は、前記課題を解決し、従来のプロダクトプレイスメントにおいて、商品情報が欠乏し、ブランドの可視度が高くなく、商品の入手方法を獲得し難いなどの欠点を克服することができる広告表示システム及びその方法を提供することである。
【課題を解決するための手段】
【０００５】
本発明に係る広告表示方法は、表示装置に接続された電子装置の中で実施され、各々の商品情報を広告コンポーネントに変換し、前記広告コンポーネントは、一種の商品の少なくとも１つの商品画像と、前記商品の広告内容と、を備える第一ステップと、各々の前記広告コンポーネントを組み合わせて、広告コンポーネントのデータベースを形成する第二ステップと、前記表示装置により映像を放送する第三ステップと、映像が放送されるとともに、前記広告コンポーネントのデータベースに保存された商品画像に基づいて、現在放送されている映像における物件の画像との類似度を判別し、前記広告コンポーネントのデータベースには、現在放送されている映像における物件の画像に類似する商品の画像があれば、前記商品の画像に対応する広告コンポーネントは前記物件に対応する商品の広告コンポーネントであると判定する第四ステップと、前記表示装置に前記物件に対応する商品の広告内容を表示する第五ステップと、を備える。
【０００６】
本発明に係る広告表示システムは、表示装置に接続された電子装置の中で実施され、各々の商品情報を一種の商品の少なくとも１つの商品画像及び前記商品の広告内容を備える広告コンポーネントに変換し、且つ各々の広告コンポーネントを組み合わせて、広告コンポーネントのデータベースを形成する変換モジュールと、前記表示装置に映像が放送される時、前記広告コンポーネントのデータベースに保存された商品画像に基づいて、現在放送されている映像における物件の画像との類似度を判別し、、判別結果により、前記広告コンポーネントのデータベースには、現在放送されている映像における物件の画像に類似する商品の画像があれば、前記商品の画像に対応する広告コンポーネントは、前記物件に対応する商品の広告コンポーネントであると判定する検出モジュールと、表示装置に前記物件に対応する商品の広告内容を表示する表示モジュールと、を備える。
【発明の効果】
【０００７】
従来の技術に比べて、本発明に広告表示システム及びその方法において、各々の商品情報を広告コンポーネントに変換して広告コンポーネントのデータベースを形成し、映像が放送されるとともに、映像における物件の画像が広告コンポーネントのデータベースにおける商品の画像に類似しているかどうかを判定し、もし前記広告コンポーネントのデータベースには、映像における物件の画像に類似する商品の画像があれば、前記商品の画像に対応する広告内容が表示され、従来のプロダクトプレイスメントにおける、商品情報が欠乏し、ブランドの可視度が高くなく、商品の入手方法を獲得し難いなどの欠点を克服することができる。
【図面の簡単な説明】
【０００８】
【図１】本発明の実施形態に係る広告表示システムの実施環境を示す図である。
【図２】図１に示す広告表示システムの機能ブロック図である。
【図３】本発明の実施形態に係る広告表示方法のフローチャートである。
【図４】本発明の実施形態に係る映像における物件の画像と広告モジュールのデータベースにおける商品の画像とを比べることを示す図である。
【発明を実施するための形態】
【０００９】
以下、図面を参照して、本発明に係る具体実施例の構成を詳細に説明する。
【００１０】
図１は、本発明の実施形態に係る広告表示システムの実施環境を示す図である。前記広告表示システム１０は、電子装置１の中で実施される。前記電子装置１は、携帯電話、ノートパソコン、ＰＤＡ、卓上型コンピューター、テレビジョンなどであることができ、ストレージシステム２０及びプロセッサー３０を備える。前記電子装置１は、表示装置２を内蔵するか又は外部の表示装置２に接続する。
【００１１】
本実施形態において、前記広告表示システム１０は、ソフトウェアプログラム又は指令形式で前記ストレージシステム２０にインストールされる。他の実施形態において、前記ストレージシステム２０は、前記電子装置１に接続される外部のメモリーであることができる。
【００１２】
前記プロセッサー３０は、前記広告表示システム１０のプログラムコードを実行し、即ち各々の商品の情報を広告コンポーネントに変換して、広告コンポーネントのデータベース４０（図４に示したように）が形成され、映像が放送されるとともに、現在放送する映像における物件の画像が広告コンポーネントのデータベース４０におけるある商品の画像とマッチングするかどうか判定する。前記広告コンポーネントのデータベース４０に映像における物件の画像とマッチングする商品の画像があり、前記商品画像に対応する広告コンポーネントは前記物件の広告であると判定した場合、前記表示装置２に前記物件に対応する商品の広告内容が放送される。
【００１３】
前記広告コンポーネントは、一種の商品の１つ又は複数の商品画像及び商品広告内容を備え、複数の前記商品画像は、異なる角度から見た一種の商品の複数の商品画像及び異なる色を有する一種の商品の複数の商品画像である。前記商品広告内容は、文字、図面及び組版からなる広告レイアウト、広告のマルチメディア情報、前記商品のホ―ムページアドレス又はショッピング系統のキーワードに関連して広告に現れることができるデータであることができる。前記商品の広告内容は、前記商品が映像に出現する際、前記映像の周辺（即ち、前記表示装置２のスクリーンの周辺）に表示されることができ、それとも映像が一時停止されるか又は終わる場合、前記映像における停止位置に最も近い画面の中の物件を測定した広告内容がポップアップされる。本実施形態において、商品が映像に出現する際、前記表示装置２のスクリーンに前記商品の広告内容が表示され、且つ表示時間は、予め設定することができる。例えば、表示時間は、２秒、３秒、４秒などである。
【００１４】
前記広告コンポーネントのデータベース４０は、映像放送システムに保存され、ネットワークを介してダウンロードするか又は更新することができるファイルであり、又は映像ファイルにおけるデータフローである。
【００１５】
前記表示装置２は、映像及び商品の広告内容を表示する。
【００１６】
図２は、図１に示す広告表示システムの機能ブロック図である。
【００１７】
前記広告表示システム１０は、変換モジュール１００と、検出モジュール１０２と、表示モジュール１０４と、を備える。
【００１８】
図３は、本発明の実施形態に係る広告表示方法のフローチャートである。
【００１９】
ステップＳ１において、前記変換モジュール１００は、商品情報を広告コンポーネントに変換する。本発明の実施形態において、前記広告コンポーネントは、異なる角度から見た一種の商品の複数の商品画像及び異なる色を有する一種の商品の複数の商品画像と、前記商品の広告内容と、を備える。前記広告内容は、文字、図面と及び組版からなる広告レイアウト、広告のマルチメディア情報、前記商品のホームペ―ジアドレス又はショッピング系統のキーワードに関連して広告に現れることができるデータであることができる。
【００２０】
ステップＳ２において、前記変換モジュール１００は、各々の広告コンポーネントを組み合わせて、広告コンポーネントのデータベース４０を形成する。図４に示したように、前記広告コンポーネントのデータベース４０には、多種の商品の多数の画像と、各々の商品の広告内容が保存される。
【００２１】
ステップＳ３において、前記表示装置２に映像が放送される際、前記検出モジュール１０２は、前記広告コンポーネントのデータベース４０に保存されている商品画像に基づいて、現在放送されている映像における物件の画像との類似度を判別する。ステップＳ４において、前記検出モジュール１０２は、測定結果により、前記広告コンポーネントのデータベース４０には、現在放送されている映像における物件の画像に類似する商品の画像があるかどうかを判定する。前記広告コンポーネントのデータベース４０には、現在放送されている映像における物件の画像に類似する商品の画像があれば、ステップＳ５において、前記検出モジュール１０２は、前記商品の画像に対応する広告コンポーネントは前記物件に対応する商品の広告コンポーネントであると判定する。前記広告コンポーネントのデータベース４０には、現在放送されている映像における物件の画像に類似する商品の画像がなければ、ステップＳ３に戻し、現在放送されている映像における他の物件に対して測定する。
【００２２】
具体的に説明すると、映像が放送される際、前記検出モジュール１０２は、予め設定した時間間隔で、前記広告コンポーネントのデータベース４０における各々の商品の画像と現在放送されている映像における物件の画像とを比べて、両者の類似度を判別する。現在放送されている映像における物件の画像と１つの広告コンポーネント４００における商品の画像との類似度が閾値より高ければ、前記広告コンポーネント４００は、前記物件の広告であると判定する。例えば、前記検出モジュール１０２は、各々の広告コンポーネント４００から現在放送されている映像における自動車と類似する商品の画像を測定し、前記商品の画像と前記自動車の画像との類似度が前記閾値より高いかどうかを比較して、前記商品の画像と前記自動車の画像との類似度が前記閾値より高ければ、前記広告コンポーネント４００は前記自動車の広告であると判定する。前記商品の画像と前記自動車の画像との類似度を比較するとき、前記検出モジュール１０２は、前記商品の画像と前記自動車の画像に対して処理し、且つ処理した商品の画像及び自動車の画像に対して特徴量を取得し、特徴距離を計算し、計算した特徴距離により両者の類似度を判別する。前記閾値は、前記広告表示システム１０に予め設定することができる。
【００２３】
ステップＳ６において、前記表示装置２には、前記物件に対応する商品の広告内容を表示する。例えば、前記表示装置２には、自動車の広告内容を表示し、前記広告内容は、前記自動車が映像に出現する際、前記映像の周辺に表示される。
【００２４】
以上、本発明を実施形態に基づいて具体的に説明したが、本発明は、上述の実施形態に限定されるものではなく、その要旨を逸脱しない範囲において、種々の変更が可能であることは勿論であって、本発明の保護範囲は、添付の特許請求の範囲によって決まる。
【符号の説明】
【００２５】
１      電子装置
２      表示装置
１０    広告表示システム
２０    ストレージシステム
３０    プロセッサー
１００  変換モジュール
１０２  検出モジュール
１０４  表示モジュール
４０    広告コンポーネントのデータベース
４００  広告コンポーネント
【図１】
2012043426.tif 000003
【図２】
2012043426.tif 000004
【図３】
2012043426.tif 000005
【図４】
2012043426.tif 000006